(57)【要約】 【課題】  腕力の非力な介助者であっても少量の力で容易に背凭部の傾動操作を行うことができ、介助作業に係る労力の省力化が図れる入浴用車椅子を提供する。【解決手段】  走行可能な台車部３と、該台車部３に軸着された背凭部５と、該背凭部５に設けられた座席部６と、前記台車部３に対して前記背凭部５を所定起立位置と所定傾斜位置との間で傾動可能にする傾動手段１６とを有する入浴用車椅子１であって、前記背凭部５が所定起立位置或いは所定起立位置付近にある過程では前記背凭部５に前記背凭部５が傾斜する方向への付勢力を作用させ且つ前記背凭部５が所定傾斜位置或いは所定傾斜位置付近にある過程では前記背凭部５に前記背凭部５が起立する方向への付勢力を作用させることにより、介助者によってなされる前記背凭部５の前後傾動操作を支援する傾動支援手段４２を具備したことを特徴とする入浴用車椅子である。【選択図】  図２
2006239025.tif 000002
【特許請求の範囲】
【請求項１】
走行可能な台車部と、該台車部に軸着された背凭部と、該背凭部に設けられた座席部と、前記台車部に対して前記背凭部を所定起立位置と所定傾斜位置との間で傾動可能になす傾動手段とを有する入浴用車椅子であって、前記背凭部が所定起立位置或いは所定起立位置付近にある過程では前記背凭部に前記背凭部が傾斜する方向への付勢力を作用させ且つ前記背凭部が所定傾斜位置或いは所定傾斜位置付近にある過程では前記背凭部に前記背凭部が起立する方向への付勢力を作用させることにより、介助者によってなされる前記背凭部の前後傾動操作を支援する傾動支援手段を具備したことを特徴とする入浴用車椅子。
【請求項２】
傾動支援手段は、背凭枠に沿って所定区間を上下に摺動する摺動板と、一端及び他端がそれぞれ台車枠及び前記摺動板に枢着され背凭部の前後傾動に従動して前記摺動板を上下に移動操作する操作棒と、前記摺動板に対して略上下対称状に配設され一端及び他端がそれぞれ前記摺動板及び前記背凭枠に係止された第一と第二の付勢部材とからなり、前記背凭部が所定起立位置及び所定起立位置付近にある過程では、前記摺動板及び前記操作棒を介して引張られ伸長状態になされた第一の付勢部材の収縮方向への弾性力によって背凭部が傾斜する方向へ付勢され、前記背凭部が所定傾斜位置及び所定傾斜位置付近にある過程では、前記摺動板及び前記操作棒に引張られ伸長状態になされた第二の付勢部材の収縮方向への弾性力によって背凭部が起立する方向へ付勢されることを特徴とする請求項１記載の入浴用車椅子。
【発明の詳細な説明】
【技術分野】
【０００１】
本発明は、入浴者を着座状態で浴槽内へ挿入し入浴に供する入浴用の車椅子に関するものである。
【背景技術】
【０００２】
下記特許文献１には、背板部及びシート部を直立側位置から傾斜位置に傾動できるチルト装置を備える入浴用の車椅子が開示されている。
【０００３】
しかしながら、上記車椅子には、介助者がチルト装置を作動させ背板部及びシート部の直立側位置から傾斜位置への後傾動操作及び傾斜位置から直立側位置への前傾動操作を開始する際に、前記前後傾動操作を支援する手段が全く具備されないものであった。
【０００４】
従って、直立位置から傾斜位置へ入浴者の着座した背板部の後傾動を開始するにはそれ相応の引き寄せ力が必要であり、又、背板部が傾斜状態にある時には、入浴者の荷重が背板部を傾斜する方向に作用しており、傾斜位置から直立位置への背板部の前傾動を開始するには前記荷重に抗する相当の押し上げ力を必要とするものであり、女性等の腕力の非力な介助者にとっては前記前後傾動操作に非常に労力を要するという問題点を有していた。
【特許文献１】特開平９−１０８２９０号
【発明の開示】
【発明が解決しようとする課題】
【０００５】
本発明は、上記問題点に鑑みてなされたもので、腕力の非力な介助者であっても少量の力で容易に背凭部の傾動操作を行うことができ、介助作業に係る労力の省力化が図れる入浴用車椅子を提供することを目的とするものである。
【課題を解決するための手段】
【０００６】
上記の目的を実現する為、本発明は、走行可能な台車部と、該台車部に軸着された背凭部と、該背凭部に設けられた座席部と、前記台車部に対して前記背凭部を所定起立位置と所定傾斜位置との間で傾動可能になす傾動手段とを有する入浴用車椅子において、前記背凭部が所定起立位置或いは所定起立位置付近にある過程では前記背凭部に前記背凭部が傾斜する方向への付勢力を作用させ且つ前記背凭部が所定傾斜位置或いは所定傾斜位置付近にある過程では前記背凭部に前記背凭部が起立する方向への付勢力を作用させることにより、介助者によってなされる前記背凭部の前後傾動操作を支援する傾動支援手段を具備した。
【０００７】
具体的には、傾動支援手段は、背凭枠に沿って所定区間を上下に摺動する摺動板と、一端及び他端がそれぞれ台車枠及び前記摺動板に枢着され背凭部の前後傾動に従動し前記摺動板を上下に移動操作する操作棒と、前記摺動板に対して略上下対称状に配設され一端及び他端がそれぞれ前記摺動板及び前記背凭枠に係止された第一と第二の付勢部材とからなり、前記背凭部が所定起立位置及び所定起立位置付近にある過程では、前記摺動板及び前記操作棒を介して引張られ伸長状態になされた第一の付勢部材の収縮方向への弾性力によって背凭部が傾斜する方向へ付勢され、前記背凭部が所定傾斜位置及び所定傾斜位置付近にある過程では、前記摺動板及び前記操作棒に引張られ伸長状態になされた第二の付勢部材の収縮方向への弾性力によって背凭部が起立する方向へ付勢される。
【発明の効果】
【０００８】
請求項１記載の発明によれば、所定起立位置から所定傾斜位置への背凭部の傾動操作（以下、後傾動操作）を開始する際に背凭部を傾斜方向に付勢することで介助者は背凭部の後傾動操作が僅かな力で楽に開始できる。又、背凭部が後傾動し所定傾斜位置付近に到達する過程において、背凭部に背凭部を起立方向へ押し戻す付勢力（限勢力）を作用させることで、入浴者の荷重等によって加速増勢される背凭部の急激な後傾動を緩和でき、介助者が急激に後傾動した背凭部に激突し負傷を負うといった危険な事態を防止でき、介助者は安全に背凭部の後傾動操作が行える。更に、前述したように背凭部の急激な後傾動による衝撃を緩和することができるので入浴者に不必要な恐怖感を抱かせるといった不都合も生じない。
【０００９】
更に、請求項１に記載の発明は、所定傾斜位置から所定起立位置への背凭部の傾動操作（以下、前傾動操作）を開始する際に背凭部を起立方向へ付勢するように構成しているので、介助者は所定傾斜位置にある背凭部に作用する入浴者の荷重に抗して背凭部の前傾動操作を少量の力で楽に開始でき、又、背凭部が所定起立位置付近に到達する過程で背凭部に背凭部を傾斜方向へ押し戻す付勢力（限勢力）を作用させることで背凭部の急激な前傾動による衝撃を緩和することができるので入浴者に不必要な恐怖感を抱かせるといった不都合も生じない。
【００１０】
上述したように、請求項１記載の発明によれば、介助者による背凭部の傾動（前傾動・後傾動）操作に係る労力を大幅に軽減でき且つ安全に傾動操作が行えることになり、特に、本発明は女性等の腕力の非力な介助者にとって顕著な優れた効果を発揮するものである。
【００１１】
請求項２記載の発明は、傾動支援手段を、背凭枠に沿って所定区間を上下に摺動する摺動板と、一端及び他端がそれぞれ台車枠及び前記摺動板に枢着され背凭部の前後傾動に従動して前記摺動板を上下に摺動操作する操作棒と、前記摺動板に対して略上下対称状に配設され一端及び他端がそれぞれ前記摺動板及び前記背凭枠に係止された第一と第二の付勢部材という比較的簡素な構成で実現できるから、傾動支援手段を具備しない従来技術と比しても大幅なコストアップとなることはなく経済性に優れる。
【発明を実施するための最良の形態】
【００１２】
非力な介助者であっても少量の力で容易に背凭部の傾動操作を行うことができ、介助作業に係る労力の省力化を図るという目的を、入浴用車椅子に、背凭部が所定起立位置或いは所定起立位置付近にある過程では前記背凭部に前記背凭部が傾斜する方向への付勢力を作用させ且つ前記背凭部が所定傾斜位置或いは所定傾斜位置付近にある過程では前記背凭部に前記背凭部が起立する方向への付勢力を作用させることにより、介助者によってなされる前記背凭部の前後傾動操作を支援する傾動支援手段を具備することにより実現した。
【実施例１】
【００１３】
以下、本発明の実施例１を図１乃至７を参照して説明する。図１は背凭部５を所定起立位置になした状態の入浴用車椅子１を示す平面図、図２は図１におけるＡ−Ａ矢視断面図、図３は背凭部５を所定傾斜位置になした状態の入浴用車椅子１をＡ−Ａ矢視と同位置で切断した断面図、図４は背凭部５を所定起立位置になした状態の入浴用車椅子１を左斜め方向から見た斜視図、図５は背凭部５を所定傾斜位置になした状態の入浴用車椅子１を左斜め方向から見た斜視図である。
【００１４】
入浴用車椅子１は、前後左右に計４個のキャスターを有し床面を走行可能な平面視略Ｈ字形状の台車枠２からなる台車部３と、下端部が台車枠２に支軸４にて傾動可能に軸着される背凭部５と、背凭部５下部に固着される座席部６と、座席部６の先部に回動固定可能に軸着される下肢支持部７を主たる構成要素としている。
【００１５】
台車枠２は左右に平行配置され前後端にキャスターが取着されたパイプ２ａ・２ｂと、パイプ２ａ・２ｂの中間位置より後方の位置にて両パイプ２ａ・２ｂを横架状に連結するパイプ２ｃとから構成され、台車枠２全体は平面視略Ｈ字形状をなしている（例えば、図４参照）。
【００１６】
図４に示すように背凭部５は左右に平行配設された円柱状の背凭パイプ８・８と、該左右背凭パイプ８・８の両下端部を連結する細板状の連結板２２等よりなる背凭枠９にＦＲＰ素材の表側被覆部材１０と不図示の裏側部材とが接合されて構成される。本発明に係る構成の説明上、裏側部材は図示を省略している。表側被覆部材１０表面中央部には、入浴者の背中部分及び頭部分が載置される載置部６０が隆起状に一体成形されている（図１参照）。
【００１７】
背凭パイプ８の上方位置と上下中間位置と下方位置の三箇所位置それぞれにおいて左右の背凭パイプ８間に略コ字形状の板状部材１１（上側・中間・下側板状部材１１ａ・１１ｂ・１１ｃ）が架設されている（図２参照）。
【００１８】
図２に示すように下側板状部材１１ｃの左右には側面視略Ｌ字形状の背凭支持パイプ１５・１５が該部材１１ｃから下方に向かって延出するように配設され、背凭支持パイプ１５・１５の各先端は台車枠２を構成する左・右パイプ２ａ・２ｂ内側位置に支軸４にて軸着されている。背凭部５は支軸４を支点として所定起立位置（図２に示される背凭部５位置）と所定傾斜位置（図３に示される背凭部５位置）との間を傾動可能になされている（傾動手段１６）。
【００１９】
中間板状部材１１ｂと下側板状部材１１ｃとに亘って直交状に後述する摺動板１２を移動案内する角柱状のガイドレール１３・１３が左右に平行して固着されている。摺動板１２は背凭部５の左右幅方向に伸長して形成された細長板状の部材であり、摺動板１２は該板１２面の左右に固着される摺動部材４１・４１を介してガイドレール１３・１３に沿って滑動する。
【００２０】
連結パイプ２ｃの左右位置には背凭部５の傾動に伴い摺動板１２を両ガイドレール１３に沿って上下方向に移動操作する操作棒１４・１４の各一端がブラケット６４・６４と枢軸１７・１７を介して回動可能に連結され、操作棒１４の各他端は摺動板１２の取付部１２ａ・１２ａに枢軸１８・１８を介して回動可能に連結されている。各取付部１２ａ上面には該部１２ａを被覆するように平板６１・６１が当着されている。
【００２１】
更に、中間板状部材１１ｂ及び下側板状部材１１ｃにはそれぞれ摺動板１２の上方向移動を規制する上側規制具６２・６２及び下方向移動を規制する下側規制具６３・６３が設けられている。具体的には、上側規制具６２は中間板状部材１１ｂ上面に固着された直方体状部材の底面に延出量を調整可能に螺着されたボルトであり、同じく下側規制具６３は下側板状部材１１ｃ上面に固着された直方体状部材の上面に延出量を調整可能に螺着されたボルトである。前記上側・下側規制具６２・６３の延出量を適宜増減微調整することにより後述する背凭部５を固定維持するロック位置（所定起立位置或いは所定傾斜位置）の微調整を可能としている。
【００２２】
図４或いは図５に示すように摺動板１２面上部及び上側板状部材１１ａの下方面近傍位置にはそれぞれ該板１２及び該部材１１ａの長手方向に向かって複数本（本実施例では６本）の係止ピン２１・２１が連設されている。上下の係止ピン２１・２１は互いに前後対向する方向で且つ左右位置が互いに対応するように突設されている。又、摺動板１２面下部及び連結板２２にもそれぞれ長手方向に向かって係止ピン２１と同数本の係止ピン２３・２３が連設されている。
【００２３】
そして、上下一組の係止ピン２１・２１に第一の付勢部材１９としての上側引張バネ２０の各端部が係止され、上下一組の係止ピン２３・２３に第二の付勢部材２４としての下側引張バネ２５の各端部が係止されている（傾動支援手段４２）。尚、本実施例においては第一の付勢部材１９及び第二の付勢部材２４の本数をそれぞれ計６本になした構成としているが、本発明は当該構成に限定されるものではなく、第一の付勢部材１９及び第二の付勢部材２４の本数は必要に応じて適宜増数或いは減数が可能なものである。
【００２４】
背凭部５には摺動板１２の上下移動を不自在とすることで背凭部５を所定起立位置或いは所定傾斜位置に固定維持するロック機構２６が設けられている。以下、ロック機構２６の構成について説明する。中間板状部材１１ｂの左右中央位置に固着されたコ字形状の取付部材２７上面の下部に回動板軸２８にて背凭枠９面方向に回動可能に略長方形状の回動板２９が軸着されている。回動板２９は摺動板１２の前側（図２参照）に配設され、回動板２９にはコ字形状の切欠溝３０が形成されている。
【００２５】
切欠溝３０には摺動板１２上面の上部で左右中央位置近傍に回動板２９方向に一体的に突出形成されたロックピン３１が挿通されている。回動板２９は、回動板２９の一頂角位置（図４中、左下の頂角位置）に前方向（表側被覆部材１０方向）に突出して設けられた係止ピン３２と一方ガイドレール１３（図４中、左側のガイドレール１３）とに亘って架渡された引張バネ３３によって常時ガイドレール１３側へ引張られている。
【００２６】
次に、前記ロック機構２６による背凭部５の所定起立位置或いは所定傾斜位置での固定維持状態を解除するロック解除手段３５の構成について説明する。ロック解除手段３５は、回動板軸２８位置に対して引張バネ３３と反対側方向の回動板２９の上端位置に一端が取着され背凭部５の上方向へ延伸されたワイヤー３４と、ワイヤー３４の他端に連結された解除レバー３６とを構成要素としている。尚、図示は省略するがワイヤー３４の替わりに棒状のリンク部材等を用いても良く、要は回動板２９上端と解除レバー３６一端とが連結でき後述するように回動板２９と解除レバー３６とが連動可能であればどのような部材を用いても良い。
【００２７】
解除レバー３６は上側板状部材１１ａ左右の各上部と左右の各背凭パイプ８とに亘って固着されたレバー取付部材３７の一方（図４中、右側）に解除レバー軸６５を介して回動可能に設けられた作動片３８と、作動片３８の一端に背凭部５中央方向に向かって取着された棒状の把持部材３９とから構成され、把持部材３９と平行状に配置された作動片３８の棒状部３８ａの先端に前記ワイヤー３４の他端が連結されている。
【００２８】
左右に配設されるレバー取付部材３７の一側面は略直角三角形の形状をなし後方向へ突出しており、該両側面部に亘って操作ハンドル４０が架設されている。操作ハンドル４０は把持部材３９の後側上方に架設されており、把持部材３９と操作ハンドル４０とは介助者が両構成部材を同時に把持できる程度の離間距離をあけて配置されている。
【００２９】
尚、本発明の本筋とは直接関係ないので詳細な説明は省略するが、解除レバー３６が設けられない他方レバー取付部材３７（図４中、左側）には、背凭部５の左右に側方突出して配設される後述のロックピン４９・４９を同期して進退操作するロックピン操作レバー６６が回動可能に軸着されている。上述した解除レバー３６と同様にロックピン操作レバー６６と操作ハンドル４０とは介助者が両構成部材を同時できる程度の離間距離をあけて平行に配置されており、ロックピン操作レバー６６はワイヤー等のリンク部材を介して左右ロックピン４９・４９に連結されており、操作ハンドル４０とロックピン操作レバー６６を同時に把持すると、該操作レバー６６の回転作動によって左右ロックピン４９・４９が同期して退入作動するように構成されている。
【００３０】
次に、実施例１の入浴用車椅子１の作用について説明する。最初に背凭部５を所定起立位置（図２の位置）から所定傾斜位置（図３の位置）に後傾動させる場合について説明する。背凭部５が所定起立位置にて固定維持されている時には、図４に示すように回動板２９が引張バネ３３によって引張られロックピン３１が回動板２９の下側横溝３０ｃ（図５参照）の終端内壁に当接しロック状態となっている。この時、上側引張バネ２０はガイドレール１３下方へ移動した摺動板１２によって引張られ自然長より多量伸長した伸長状態になっている。尚、下側引張バネ２５も自然長より若干伸長してはいるが、その伸長度合いは上側引張バネ２０と比すると極めて少量である。
【００３１】
後傾動に際して、解除レバー３６の把持部材３９と操作ハンドル４０を介助者が同時に把持すると把持部材３９が操作ハンドル４０に接近する方向、即ち、作動片３８が左廻り方向へ回転し（図２中、一点鎖線で示す作動片３８）、作動片３８に連結されたワイヤー３４によって回動板２９が引張バネ３３の引張力に抗して左廻り方向（図４中）へ回転する。当該回転によって下側横溝３０ｃの終端内壁に当接状態にあったロックピン３１が縦溝３０ｂ下端に位置し背凭部５の所定起立位置でのロックが解除される。
【００３２】
把持部材３９と操作ハンドル４０の両構成部材を把持した状態で背凭部５の後傾動を開始すると、上側引張バネ２０の収縮方向への弾性力によって摺動板１２の上方向への移動が促進される結果、背凭部５が後傾動する方向へ付勢される。従って、介助者は背凭部５に付与される当該付勢作用を利用して背凭部５の後傾動を楽に開始できる。
【００３３】
更に続けて背凭部５を後傾動させていくと、背凭部５の後傾動に従動して回転した操作棒１４によって摺動板１２が上方向へ移動操作され、当該移動操作によって下側引張バネ２５が伸長され、ある時点で次第に下側引張バネ２５の伸長度合いが上側引張バネ２０の伸長度合いを上回るようになる。下側引張バネ２５の伸長度合いが上側引張バネ２０の伸長度合いを上回ると、背凭部５は下側引張バネ２５の収縮方向への弾性力によって、起立方向へ戻し付勢されるようになる。当該付勢作用により入浴者の荷重等に起因して加速増勢される背凭部５の急激な後傾動を緩和できる。
【００３４】
背凭部５の後傾動に伴いロックピン３１は縦溝３０ｂに沿って相対的に上方移動することになり、摺動板１２に当着される平板６１が上側規制具６２に当接した時点、即ち背凭部５の更なる後傾動が規制された時点で把持部材３９の把持を解放すると、回動板２９が引張バネ３３によって該バネ３３方向、即ち右廻り方向（図４中）へ引き戻され、ロックピン３１が上側横溝３０ａの終端内壁に当接され、背凭部５はロック状態となり図３に示す所定傾斜位置にて固定維持される。
【００３５】
尚、図示は省略するが、回動板２９に形成される上・下側横溝３０ａ・３０ｃ以外に、例えば、上・下側横溝３０ａ・３０ｃの間であって縦溝３０ｂの適宜位置に中側横溝を形成し、該中側横溝の終端内壁にロックピン３１を当接させ、背凭部５を上述した所定起立位置と所定傾斜位置との間の適宜な中間傾斜位置に固定維持するようにしてもよく、背凭部５を固定維持する位置は所定起立位置と所定傾斜位置の二箇所に限定されるものではない。
【００３６】
続いて、背凭部５を所定傾斜位置から所定起立位置に前傾動させる場合について説明する。上述したように、背凭部５が所定傾斜位置にて固定維持されている時には、ガイドレール１３上方へ移動した摺動板１２によって下側引張バネ２５が自然長より多量伸長した伸長状態になっている。上側引張バネ２０も自然長より若干伸長してはいるが、伸長度合いは下側引張バネ２５と比すると極めて少量である。
【００３７】
把持部材３９と操作ハンドル４０の両構成部材を把持し所定傾斜位置における背凭部５のロック状態を解除した後、背凭部５の前傾動を開始すると、下側引張バネ２５の収縮方向への弾性力によって摺動板１２の下方向への移動が促進される結果、背凭部５が起立する方向へ付勢される。従って、介助者は背凭部５に付与される当該付勢作用を利用して背凭部５の前傾動を少量の力で楽に開始できる。
【００３８】
更に続けて背凭部５を前傾動させていくと、背凭部５の前傾動に従動して回転した操作棒１４によって摺動板１２が下方向へ移動操作され、当該移動操作によって上側引張バネ２０が伸長され、ある時点で上側引張バネ２０の伸長度合いが下側引張バネ２５の伸長度合いを上回るようになる。上側引張バネ２０の伸長度合いが下側引張バネ２５の伸長度合いを上回ると、上側引張バネ２０の収縮方向への弾性力によって、背凭部５は傾斜方向へ戻し付勢されるようになる。当該付勢作用により背凭部５の急激な前傾動が緩和できる。
【００３９】
背凭部５の前傾動に伴いロックピン３１は縦溝３０ｂに沿って相対的に下方移動することになり、平板６１が下側規制具６３に当接した時点、即ち背凭部５の更なる前傾動が規制された時点で把持部材３９の把持を解放すると、回動板２９が引張バネ３３によって該バネ３３方向、即ち右廻り方向（図４中）へ引き戻され、ロックピン３１が下側横溝３０ｃの終端内壁に当接され、背凭部５はロック状態となり所定起立位置にて固定維持される。
【００４０】
続いて、実施例１の入浴用車椅子１を用いて入浴者を入浴させる浴槽４３について説明する。浴槽４３には貯湯槽４４が一体的に形成され、浴槽４３の一側方に開口部４５が形成される。実施例１は、浴槽４３の開口部４５を入浴者が着座した入浴用車椅子１の背凭部５で閉塞することにより入浴者を入浴状態にさせるものである。図６に浴槽４３を開口部４５方向から見た斜視図、図７に浴槽４３を開口部４５方向から見た正面図を示す。
【００４１】
前記開口部４５は、浴槽４３の側壁４３ａ・４３ｂの内側面に開口部４５側から浴槽４３の奥側方向に向かって傾斜状に形成された内側壁４３ａａ・４３ｂｂと底壁４３ｃとで構成される接合面４６を有し、該接合面４６には入浴用車椅子１の背凭部５に形成される左・右・下平坦面４７ａ・４７ｂ・４７ｃが当接可能となっている。
【００４２】
浴槽４３の接合面４６より前方向に突出して形成された側壁４３ａ・４３ｂの内側上方位置にそれぞれ略Ｌ字形状の補強部材４８が取着され、該左右の補強部材４８にはそれぞれ入浴用車椅子１の背凭部５上部の左右位置から突出されたロックピン４９が挿脱可能な透孔５０が穿設される。
【００４３】
前記接合面４６の周縁には、接合面４６に沿って接合面４６と入浴用車椅子１の背凭部５の平坦面４７との水密状態を維持する為のシール材５１が貼着される。又、浴槽４３の底壁４３ｃの内側には、浴槽４３の開口部４５と反対側位置に段部５２が形成される。段部５２を形成することにより浴槽４３の容積を減少させることができ、貯湯槽４４から浴槽４３へ移送する湯水の省湯量化が図れる。
【００４４】
浴槽４３と、入浴用車椅子１の背凭部５との固定は、以下の二つの手段により行う。一つは、浴槽４３の側壁４３ａ・４３ｂ上部と入浴用車椅子１の背凭部５の左右側上部を固定する第一の固定手段５３であり、もう一つは浴槽４３の底壁４３ｃと入浴用車椅子１の背凭部５の下部を固定する第二の固定手段５４である。
【００４５】
第一の固定手段５３は、入浴用車椅子１側に設けられる前記ロックピン４９と、浴槽４３側に設けられる前記透孔５０とから構成される。第二の固定手段５４は、底壁４３ｃの下方外面に固着された伸縮自在なロッドを有する電動アクチュエーター５５と、該ロッドの先端部と底壁４３ｃの端面とに回動可能に軸着される押圧片５６と、入浴用車椅子１の背凭枠９下端の中央部に螺着され前記押圧片５６の押圧を受け止める受止部材５７とから構成される。
【００４６】
従って、入浴用車椅子１を浴槽４３の内方所定位置にまで進入させると、ロックピン４９が透孔５０に自動的に嵌入し、入浴用車椅子１の背凭部５の上部と浴槽４３上部とが固定される。続いて、電動アクチュエーター５５のロッドの伸長作動を開始すると、押圧片５６の先端部が左回転（背凭部５側に回転）し受止部材５７に当接する。更に、ロッドの伸長作動を行うと、押圧片５６により受止部材５７が押圧され、浴槽４３の底壁４３ｃに入浴用車椅子１の背凭部５の下部が押圧固定される。上述した第一の固定手段５３と第二の固定手段５４とにより浴槽４３の開口部４５が入浴車椅子１の背凭部５で閉塞されることになる。
【００４７】
上述した入浴用車椅子１を用いて、入浴者を浴槽４３に入浴させる場合、介助者は、先ず貯湯槽４４へ湯水を所定量貯湯する。介助者は、入浴者が搬送される他の福祉機器を本発明の入浴用車椅子１の近傍へ停車させ、入浴者を入浴用車椅子１へ移乗させる。尚、移乗時には、背凭部５は所定起立位置に設定されている。
【００４８】
解除レバー３６の把持部材３９と操作ハンドル４０を同時に把持し、ロック機構２６のロック機能を解除し、支軸４を支点にして所定起立位置にある背凭部５を所定傾斜位置にまで後傾動させる。
【００４９】
介助者は操作ハンドル４０を掴んで、入浴用車椅子１を床面５８上を走行させる。入浴用車椅子１を浴槽４３の開口部４５付近に配置した後、開口部４５方向に延出し側壁４３ａ・４３ｂの内側に沿って平行状に取着されたガイドレール５９・５９に台車枠２を当接させながら、入浴用車椅子１を開口部４５側から浴槽４３内へ進入させる。
【００５０】
この時、台車部３は、底壁４３ｃの外部下方に位置し、入浴者の載置される座席部６及び下肢支持部７が浴槽４３内に位置する。下肢支持部７は背凭部５の後傾動に伴って持上げされた状態であるので、浴槽４３の内方に挿入された場合にも底壁４３ｃに形成された段部５２に衝突することはない。
【００５１】
入浴用車椅子１を浴槽４３の内方所定位置にまで進入させると、ロックピン４９が透孔５０に嵌入し、入浴用車椅子１の背凭部５上部と浴槽４３上部とが固定される。次に、電動アクチュエーター５５のロッドを伸長作動させ、押圧片５６にて受止部材５７を押圧すると、背凭部５の左平坦面４７ａ・右平坦面４７ｂ・下平坦面４７ｃが接合面４６に当接し、浴槽４３の開口部４５が入浴用車椅子１の背凭部５で閉塞される。貯湯槽４４から浴槽４３へ湯水を移送し、入浴者を入浴させる。
【００５２】
入浴が完了し入浴者を退浴させる場合、まず浴槽４３内の湯水を浴槽４３外へ排出する。浴槽４３内の水位が減少し所定の高さ位置未満になると、電動アクチュエーター５５のロッドの収縮動が許容可能となるので、介助者は、ロッドを収縮動させ、押圧片５６による受止部材５７の押圧固定を解除し、浴槽４３の底壁４３ｃと入浴用車椅子１の背凭部５下部との固定を解除する。
【００５３】
次に、入浴用車椅子１に具備されるロックピン操作レバー６６と操作ハンドル４０とを同時に把持し、左右のロックピン４９を透孔５０から同時に抜脱し、浴槽４３の側壁４３ａ・４３ｂ上部と入浴用車椅子１の背凭部５の左右側上部との固定を解除し、入浴用車椅子１を浴槽４３内から退出させる。
【００５４】
介助者は、解除レバー３６を操作し所定傾斜位置にある背凭部５を所定起立位置にまで復帰作動させた後、入浴用車椅子１から他の福祉機器へ入浴者を移乗させ、入浴を完了する。
【００５５】
本発明は上記の実施例１で述べた実施態様に限定されるものではなく、本発明の趣旨を逸脱しない範囲において適宜設計変更できることは言うまでもない。
【産業上の利用可能性】
【００５６】
本発明は、入浴者を着座状態で浴槽内へ挿入し入浴に供する入浴用の車椅子に適用できる。
【図面の簡単な説明】
【００５７】
【図１】本発明の背凭部を所定起立位置になした状態の入浴用車椅子を示す平面図である。
【図２】図１におけるＡ−Ａ矢視断面図である。
【図３】本発明の背凭部を所定傾斜位置になした状態の入浴用車椅子をＡ−Ａ矢視と同位置で切断した断面図である。
【図４】本発明の背凭部を所定起立位置になした状態の入浴用車椅子を左斜め方向から見た斜視図である。
【図５】本発明の背凭部を所定傾斜位置になした状態の入浴用車椅子を左斜め方向から見た斜視図である。
【図６】浴槽を開口部方向から見た斜視図である。
【図７】浴槽を開口部方向から見た正面図である。
【符号の説明】
【００５８】
１    入浴用車椅子
２    台車枠
３    台車部
４    支軸
５    背凭部
６    座席部
９    背凭枠
１２  摺動板
１４  操作棒
１６  傾動手段
１９  第一の付勢部材
２４  第二の付勢部材
４２  傾動支援手段
【図１】
2006239025.tif 000003
【図２】
2006239025.tif 000004
【図３】
2006239025.tif 000005
【図４】
2006239025.tif 000006
【図５】
2006239025.tif 000007
【図６】
2006239025.tif 000008
【図７】
2006239025.tif 000009